(57)【要約】      （修正有）【課題】装飾性、発光及び光反射機能を時計機能と一体化した液晶表示式時計を提供する。【解決手段】上部ケーシング１と、下部ケーシング２と、駆動回路と、前記上部ケーシングに設けられて前記駆動回路に接続される液晶表示パネル４とを備えてカラー液晶表示式時計を構成する。前記液晶表示パネル４の下方には光反射モジュール５が設けられており、前記光反射モジュール５上には前記液晶表示パネルに対応する複数の光反射体が設けられている。液晶表示パネルの下方にダイヤモンド、水晶、ガラス、合成樹脂、金属および類似した材質などからなる光反射性多面体を設けることにより、液晶表示パネルにおいて発光表示させたい部分が透明になったとき、これら発光または光反射性多面体が光を様々な色として反射するので、時計の観賞性が向上する。【選択図】図１Ｂ
0003169144.tif 000002
【実用新案登録請求の範囲】
【請求項１】
上部ケーシング（１）と、下部ケーシング（２）と、駆動回路と、前記上部ケーシング（１）に設けられて前記駆動回路に接続される液晶表示パネル（４）とを備えたカラー液晶表示式時計であって、
前記液晶表示パネル（４）の下方には光反射モジュール（５）が設けられており、前記光反射モジュール（５）上には前記液晶表示パネルに対応する複数の光反射体が設けられていることを特徴とするカラー液晶表示式時計。
【請求項２】
前記光反射体がダイヤモンド、水晶、ガラス、合成樹脂、金属および類似した材質からなる光反射性多面体を備えていることを特徴とする請求項１に記載のカラー液晶表示式時計。
【請求項３】
前記上部ケーシング（１）と下部ケーシング（２）との間にプリント回路基板（３）が設けられており、前記駆動回路が前記プリント回路基板（３）上に設けられていることを特徴とする請求項１に記載のカラー液晶表示式時計。
【請求項４】
前記プリント回路基板（３）には前記駆動回路に接続されるバッテリ（６）がさらに設けられていることを特徴とする請求項３に記載のカラー液晶表示式時計。
【考案の詳細な説明】
【技術分野】
【０００１】
本考案は時計に関し、より具体的には、装飾性、発光および光反射機能を時計機能と一体化したカラー液晶表示式時計に関する。
【背景技術】
【０００２】
現在、絶えず科学技術が進歩し、そして人々の物質的な生活レベルが向上しているのに伴い、各種モデルの時計は人々が時間を把握するための日常的な必需品となっているに止まらず、身につける装飾品の一つとなっている。
【考案の概要】
【考案が解決しようとする課題】
【０００３】
ところが昨今の時計製造業者の場合、その形状モデルの設計および変化に比重を置いており、その構造的な改善および刷新については疎かになっているため、現代の時計は従来のものと比べても、いくらかの実質的な進歩も見られず、構造における刷新に乏しく、機能が単一的であるという欠点がある。確かに現在の市場には美観に優れた時計が数多くあるものの、その構造においては単一的な発光方式、例えば数字を黒色で表示し、表示される数字以外は透明であるか、または数字を透明で表示し、表示される数字以外が有色であるなどといった方式を採用するものが多数である。しかしながら、人々の消費嗜好が絶えず高まるに伴い、上記したような単一的な表示方式はますます競争力を失ってきている。
【課題を解決するための手段】
【０００４】
本考案が解決する技術的課題は、従来技術における上記時計の表示方式が単一的であるという欠点に対して、装飾性を時計機能と一体化したカラー液晶表示式時計を提供するところにある。
【０００５】
本考案にてその技術的課題を解決するに採用する技術的手法は次の通りである。上部ケーシングと、下部ケーシングと、駆動回路と、前記上部ケーシングに設けられて前記駆動回路に接続される液晶表示パネルとを備えたカラー液晶表示式時計を構成するものであり、本考案によれば、前記液晶表示パネルの下方には光反射モジュールが設けられており、前記光反射モジュール上には前記液晶表示パネルに対応する複数の光反射体が設けられている。
【０００６】
本考案の前記カラー液晶表示式時計において、前記光反射体はダイヤモンド、水晶、ガラス、合成樹脂、金属および類似した材質からなる光反射性多面体を備えている。
【０００７】
本考案の前記カラー液晶表示式時計において、前記上部ケーシングと下部ケーシングとの間にプリント回路基板が設けられており、前記駆動回路は前記プリント回路基板上に設けられている。
【０００８】
本考案の前記カラー液晶表示式時計において、前記プリント回路基板には前記駆動回路に接続されるバッテリがさらに設けられている。
【考案の効果】
【０００９】
本考案のカラー液晶表示式時計を実現することにより、下記のような有益な効果が得られる。液晶表示パネルの下方にダイヤモンド、水晶、ガラス、合成樹脂、金属および類似した材質などからなる光反射性多面体を設けることにより、液晶表示パネルにおいて発光表示させたい部分が透明になったとき、これら光反射性多面体が光を様々な色として反射するので、時計の観賞性が向上する。
【図面の簡単な説明】
【００１０】
【図１Ａ】本考案に係るカラー液晶表示式時計の構造概略図である。
【図１Ｂ】本考案に係るカラー液晶表示式時計の断面図である。
【図２】本考案に係るカラー液晶表示式時計における液晶表示パネルの構造概略図である。
【図３】本考案に係るカラー液晶表示式時計における光反射モジュールの構造概略図である。
【考案を実施するための形態】
【００１１】
下記にて図面および実施例を合わせて本考案の詳細な説明を行う。
【００１２】
本考案が解決すべき技術的課題、技術的手法および有益な効果をより明確にすべく、以下にて図面および実施例を合わせて、本考案についてより詳細な説明を行う。しかしながら、ここにて記述する具体的な実施例は本考案を解説するためのものであって、本考案を限定するためのものではないことを理解されたい。
【００１３】
図１Ａおよび図１Ｂに示すように、図中には本考案に係るカラー液晶表示式時計が示されている。当該カラー液晶表示式時計は上部ケーシング１と、下部ケーシング２と、プリント回路基板３と、前記上部ケーシング１に設けられている液晶表示パネル４とを備えており、上部ケーシング１および下部ケーシング２は係合する方式で組み付けられており、プリント回路基板３は上部ケーシング１と下部ケーシング２との間に設けられている。プリント回路基板上には液晶表示パネル４に接続されて、液晶表示パネル４を制御する駆動手段が設けられている。駆動手段に電源を供給するバッテリ６がプリント回路基板３に接続されている。本考案の特長によれば、液晶表示パネル４の下方には光反射モジュール５が設けられており、前記光反射モジュール５上には前記液晶表示パネル４に対応する光反射体が設けられている。前記光反射体はダイヤモンド、水晶、ガラス、合成樹脂、金属および類似した材質からなる光反射性多面体を備えており、液晶表示パネル４において発光表示させたい部分が透明になったとき、これら光反射性多面体が光を様々な色として反射するので、時計の観賞性が向上する。
【００１４】
図２に示すように、図中には本考案に係るカラー液晶表示式時計における液晶表示パネル４の構造概略図が示されている。図中に示す複数の表示セルで「１８：８８」のパターンが組成されている。ただし、これは本考案の一実施例に過ぎず、複数の表示セルでその他のパターンも同様に形成して、さらに本考案により、表示セルの下方に光反射性多面体を設けることで、駆動手段が液晶表示パネル４の表示セルに対応するディジタル数字を制御するとき、光反射性多面体が発光表示される部分が光を反射することで、様々な色の光を発するようにすることができるということに注意されたい。「１８：８８」は１２時間制の時間しか表示できないが、もし２４時間制の時間を表示したい場合には、「１８：８８」を「８８：８８」またはその他形状の表示方式に変更することができる。このうち、各表示セルは直列、並列または個別の方式で信号インターフェイスを介して駆動回路に接続されて、駆動回路の制御により、液晶表示パネル４は対応する時間を表示することができる。
【００１５】
図３に示すように、図中には本考案に係るカラー液晶表示式時計における光反射モジュール５の構造概略図を示す。図２に示す表示パターンに対応して、前記光反射モジュール５上に貼付されている複数の反射性多面体もまたこれに対応するパターンを形成している。これら反射性多面体はダイヤモンド、水晶、ガラス、合成樹脂、金属および類似した材質などからなり、液晶表示パネルの表示セルが発光させられると、これら反射性多面体は透明の表示部分を介して光を反射した後、用いられている反射性多面体の材質に応じて、異なる色の光を発する。
【００１６】
上記したものは本考案における好ましい実施例に過ぎず、本考案を限定するためのものではない。本考案の技術的思想および原則の中で行われる変更、等価の置換および改善はいずれも本考案が保護する範囲に含まれるものである。
【符号の説明】
【００１７】
１上部ケーシング
２下部ケーシング
３プリント回路基板
４液晶表示パネル
５光反射モジュール
６バッテリ
【図１Ａ】
0003169144.tif 000003
【図１Ｂ】
0003169144.tif 000004
【図２】
0003169144.tif 000005
【図３】
0003169144.tif 000006